【手続補正書】
【提出日】平成15年9月8日(2003.9.8)
【手続補正１】
【補正対象書類名】明細書
【補正対象項目名】発明の名称
【補正方法】変更
【補正の内容】
【発明の名称】無線電話装置


【手続補正２】
【補正対象書類名】明細書
【補正対象項目名】特許請求の範囲
【補正方法】変更
【補正の内容】
【特許請求の範囲】
【請求項１】
ユーザに対して情報を表示する表示手段と、ユーザ操作に対応して、第１の期間、前記表示手段に光を当てて視認性を向上させるバックライト手段とを有する無線電話装置において、
ユーザにより選択された機能を判別する判別手段と、
前記判別手段により、無線回線を介する情報受信モードが選択されていると判別された場合、前記バックライト手段の前記ユーザ操作からの点灯時間を、前記第１の期間より長くする制御手段と
を具備することを特徴とする無線電話装置。
【請求項２】
ユーザに対して情報を表示する表示手段と、ユーザ操作に対応して、第１の期間、前記表示手段に光を当てて視認性を向上させるバックライト手段とを有する無線電話装置において、
ユーザにより選択された機能を判別する判別手段と、
前記判別手段により、メール作成モードが選択されていると判別された場合、前記バックライト手段の前記ユーザ操作からの点灯時間を、前記第１の期間より長くする制御手段と
を具備することを特徴とする無線電話装置。
【請求項３】
前記制御手段の動作を有効とするか否かが、予め、ユーザにより設定される設定手段
を具備し、
前記制御手段は、
有効と設定された場合、判別結果に応じて、点灯時間を変更する
ことを特徴とする請求項１または請求項２記載の無線電話装置。
【手続補正３】
【補正対象書類名】明細書
【補正対象項目名】０００１
【補正方法】変更
【補正の内容】
【０００１】
【発明の属する技術分野】
この発明は、バックライト付きＬＣＤ（液晶表示装置）等の表示手段を有する無線電話装置に関し、特に、ユーザが選択したモードに対応してバックライト点灯時間を最適に制御して操作性を改善した無線電話装置に関する。


【手続補正４】
【補正対象書類名】明細書
【補正対象項目名】００１０
【補正方法】変更
【補正の内容】
【００１０】
そこで、この発明は、ユーザの選択した機能に対応して最適にバックライト点灯時間を制御することで操作性の向上および電池の長寿命化を図った無線電話装置を提供することを目的とする。


【手続補正５】
【補正対象書類名】明細書
【補正対象項目名】００１１
【補正方法】変更
【補正の内容】
【００１１】
【課題を解決するための手段】
上記目的を達成するため、請求項１の発明は、ユーザに対して情報を表示する表示手段と、ユーザ操作に対応して、第１の期間、前記表示手段に光を当てて視認性を向上させるバックライト手段とを有する無線電話装置において、ユーザにより選択された機能を判別する判別手段と、前記判別手段により、無線回線を介する情報受信モードが選択されていると判別された場合、前記バックライト手段の前記ユーザ操作からの点灯時間を、前記第１の期間より長くする制御手段とを具備することを特徴とする。


【手続補正６】
【補正対象書類名】明細書
【補正対象項目名】００１２
【補正方法】変更
【補正の内容】
【００１２】
また、請求項２の発明は、ユーザに対して情報を表示する表示手段と、ユーザ操作に対応して、第１の期間、前記表示手段に光を当てて視認性を向上させるバックライト手段とを有する無線電話装置において、ユーザにより選択された機能を判別する判別手段と、前記判別手段により、メール作成モードが選択されていると判別された場合、前記バックライト手段の前記ユーザ操作からの点灯時間を、前記第１の期間より長くする制御手段とを具備することを特徴とする。


【手続補正７】
【補正対象書類名】明細書
【補正対象項目名】００１３
【補正方法】変更
【補正の内容】
【００１３】
また、請求項３の発明は、請求項１または請求項２の発明において、前記制御手段の動作を有効とするか否かが、予め、ユーザにより設定される設定手段を具備し、前記制御手段は、有効と設定された場合、判別結果に応じて、点灯時間を変更することを特徴とする。


【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
【発明の実施の形態】
以下、この発明に係わる無線電話装置の形態を添付図面を参照して詳細に説明する。


【手続補正１４】
【補正対象書類名】明細書
【補正対象項目名】００２０
【補正方法】変更
【補正の内容】
【００２０】
図１は、この発明に係わる無線電話装置を適用した携帯電話機の一実施の形態を示すブロック図である。


【手続補正１５】
【補正対象書類名】明細書
【補正対象項目名】００７３
【補正方法】変更
【補正の内容】
【００７３】
以上説明したようにこの発明によれば、ユーザに対して情報を表示する表示手段と、ユーザ操作に対応して、第１の期間、前記表示手段に光を当てて視認性を向上させるバックライト手段とを有する無線電話装置において、ユーザにより選択された機能を判別し、無線回線を介する情報受信モード若しくはメール作成モードが選択されていると判別された場合、前記バックライト手段の前記ユーザ操作からの点灯時間を、前記第１の期間より長くするように構成したので、ユーザの選択した機能に対応して最適なバックライト点灯制御が可能になり、無線電話機の操作性を大幅に向上させることができるとともに、電池の消耗を可及的に小さくすることができるという効果を奏する。


【手続補正１６】
【補正対象書類名】明細書
【補正対象項目名】図面の簡単な説明
【補正方法】変更
【補正の内容】
【図面の簡単な説明】
【図１】この発明に係わる無線電話装置を適用した携帯電話機の一実施の形態を示すブロック図である。
【図２】図１に示した携帯電話機１０を用いて実現されるＷＡＰサービスを説明するためのシステム全体構成図である。
【図３】図１に示した携帯電話機１０のマイクロプロセッサ１７によるバックライト付き表示器１５のバックライト１５２の点灯制御処理を示すフローチャートである。
【図４】図１に示した携帯電話機１０のマイクロプロセッサ１７によるバックライト付き表示器１５のバックライト１５２の他の点灯制御処理を示すフローチャートである。
【符号の説明】
１０    携帯電話機
１１    電池
１２    電源回路
１３    メモリ
１４    Ａ−Ｄ変換器
１５    バックライト付き表示器
１６    キー入力部
１７    マイクロプロセッサ
１８    ＣＤＭＡ信号処理回路
１９    無線機
２０    アンテナ
２１    ボコーダ
２２    Ａ−Ｄ変換器
２３    マイクロフォン
２４    Ｄ−Ａ変換器
２５    スピーカ
２６    サウンダ
３０    公衆基地局
４０    回線交換網
５０    ゲートウエイ
６０    インターネット
７０    蓄積サーバ
８０    パーソナルコンピュータ